(57)【要約】【課題】設備のコストを低減しつつ衛星放送を視聴すること。【解決手段】センタ装置１０は、衛星放送信号に含まれる複数のアンテナから供給される中間周波数の信号の少なくとも一部を、異なる周波数にダウンコンバートするダウンコンバート手段（ダウンコンバータ）と、ダウンコンバートされた衛星放送信号に含まれるＮＩＴに記述されたトランスポンダの信号の周波数を示す情報を、元の周波数とは異なる周波数に変更する変更手段（ＮＩＴ変更部）と、ＮＩＴが変更されたＴＳまたはＴＬＶを変調する変調手段（変調部）と、ＣＡＴＶ放送信号と衛星放送信号とを混合して伝送路２０を介して送信する送信手段（混合部１８）と、を有し、加入者宅内装置３０は、伝送路を介して伝送される信号を受信する受信手段（分配部３１）と、受信手段によって受信した信号から衛星放送信号を抽出する抽出手段（分配部３１）と、を有する。【選択図】図１
2019195147.tif 000002
【特許請求の範囲】
【請求項１】
センタ装置と加入者宅内装置とを有する放送システムにおいて、
前記センタ装置は、
衛星放送信号に含まれる複数のアンテナから供給される中間周波数の信号の少なくとも一部を、異なる周波数にダウンコンバートするダウンコンバート手段と、
前記ダウンコンバート手段によってダウンコンバートされた前記衛星放送信号に含まれるＮＩＴ（Network Information Table）に記述されたトランスポンダの信号の周波数を示す情報を、元の周波数とは異なる周波数に変更する変更手段と、
前記変更手段によって前記ＮＩＴが変更されたＴＳ（Transport Stream）またはＴＬＶ（Type Length Value）を変調する変調手段と、
ＣＡＴＶ（Cable Television）放送信号と前記変調手段から出力される前記衛星放送信号とを混合して伝送路を介して送信する送信手段と、を有し、
前記加入者宅内装置は、
前記伝送路を介して伝送される信号を受信する受信手段と、
前記受信手段によって受信した信号から前記衛星放送信号を抽出する抽出手段と、を有する、
ことを特徴とする放送システム。
【請求項２】
前記変調手段は、前記変更手段によって前記ＮＩＴが変更されたＴＳまたはＴＬＶを、前記衛星放送信号の変調方式と同じ変調方式によって変調することを特徴とする請求項１に記載の放送システム。
【請求項３】
前記ダウンコンバート手段は、前記衛星放送信号に含まれる複数の前記中間周波数の信号の少なくとも一部を、前記ＣＡＴＶ放送信号の空いている周波数帯にダウンコンバートし、
前記加入者宅内装置は、前記抽出手段によって抽出した前記衛星放送信号をアップコンバートするアップコンバート手段を有する、
ことを特徴とする請求項１または２に記載の放送システム。
【請求項４】
前記変更手段は、前記ダウンコンバート手段によってダウンコンバートされた前記衛星放送信号の複数の前記中間周波数の信号の少なくとも一部を、前記アップコンバート手段によってアップコンバートした際に、そのままの並びで周波数軸上において高周波側にシフトした場合の周波数に変更することを特徴とする請求項３に記載の放送システム。
【請求項５】
前記変更手段は、前記ダウンコンバート手段によってダウンコンバートされた前記衛星放送信号の複数の前記中間周波数の信号の全てを、前記アップコンバート手段によってアップコンバートした際に、そのままの並びで周波数軸上において高周波側にシフトした場合の周波数に変更することを特徴とする請求項３に記載の放送システム。
【請求項６】
前記ダウンコンバート手段は、前記衛星放送信号の複数の前記中間周波数の信号のうち、周波数が高い１または複数の前記中間周波数の信号を、それよりも低い周波数に変換することを特徴とする請求項１または２に記載の放送システム。
【請求項７】
前記ダウンコンバート手段は、前記衛星放送信号の複数の前記中間周波数の信号の全てを、それよりも低い周波数に変換することを特徴とする請求項１または２に記載の放送システム。
【請求項８】
センタ装置と加入者宅内装置とを有する放送システムの制御方法において、
前記センタ装置は、
衛星放送信号に含まれる複数のアンテナから供給される中間周波数の信号の少なくとも一部を、異なる周波数にダウンコンバートするダウンコンバートステップと、
前記ダウンコンバートステップにおいてダウンコンバートされた前記衛星放送信号に含まれるＮＩＴ（Network Information Table）に記述されたトランスポンダの信号の周波数を示す情報を、元の周波数とは異なる周波数に変更する変更ステップと、
前記変更ステップによって前記ＮＩＴが変更されたＴＳ（Transport Stream）またはＴＬＶ（Type Length Value）を変調する変調ステップと、
ＣＡＴＶ（Cable Television）放送信号と前記変調ステップから出力される前記衛星放送信号とを混合して伝送路を介して送信する送信ステップと、を有し、
前記加入者宅内装置は、
前記伝送路を介して伝送される信号を受信する受信ステップと、
前記受信ステップにおいて受信した信号から前記衛星放送信号を抽出する抽出ステップと、を有する、
ことを特徴とする放送システムの制御方法。
【請求項９】
センタ装置と加入者宅内装置とを有する放送システムの前記加入者宅内装置において、
前記センタ装置において、衛星放送信号に含まれる複数のアンテナから供給される中間周波数の信号の少なくとも一部が、異なる周波数にダウンコンバートされ、ダウンコンバートされた前記衛星放送信号に含まれるＮＩＴ（Network Information Table）に記述されたトランスポンダの信号の周波数を示す情報が、元の周波数とは異なる周波数に変更する変更され、前記ＮＩＴが変更されたＴＳ（Transport Stream）またはＴＬＶ（Type Length Value）を変調し、ＣＡＴＶ（Cable Television）放送信号と変調された前記衛星放送信号とが混合されて伝送路を介して送信された信号を受信する受信手段と、
前記受信手段によって受信した信号から前記衛星放送信号を抽出する抽出手段と、を有する、
ことを特徴とする加入者宅内装置。
【発明の詳細な説明】
【技術分野】
【０００１】
本発明は、放送システム、放送システムの制御方法、および、加入者宅内装置に関するものである。
【背景技術】
【０００２】
特許文献１では、例えば、地上デジタル放送等の従来の放送波と、ＢＳデジタル放送およびＣＳデジタル放送とを異なる光ファイバ伝送路によって伝送することで、ＢＳデジタル放送およびＣＳデジタル放送をパススルー方式によって伝送する技術が開示されている。
【先行技術文献】
【特許文献】
【０００３】
【特許文献１】特開２０１１−４００８号公報
【発明の概要】
【発明が解決しようとする課題】
【０００４】
ところで、特許文献１に開示される技術では、ヘッドエンドと、拡張ＯＮＵの間に２系統の光ファイバ伝送路を敷設する必要があることから、設備のコストが高くなるという問題点がある。
【０００５】
そこで、本発明は、設備のコストを低減しつつ、伝送品質が改善され安定した衛星放送を視聴することが可能な放送システム、放送システムの制御方法、および、加入者宅内装置を提供することを目的としている。
【課題を解決するための手段】
【０００６】
上記課題を解決するために、本発明は、センタ装置と加入者宅内装置とを有する放送システムにおいて、前記センタ装置は、衛星放送信号に含まれる複数のアンテナから供給される中間周波数の信号の少なくとも一部を、異なる周波数にダウンコンバートするダウンコンバート手段と、前記ダウンコンバート手段によってダウンコンバートされた前記衛星放送信号に含まれるＮＩＴ（Network Information Table）に記述されたトランスポンダの信号の周波数を示す情報を、元の周波数とは異なる周波数に変更する変更手段と、前記変更手段によって前記ＮＩＴが変更されたＴＳ（Transport Stream）またはＴＬＶ（Type Length Value）を変調する変調手段と、ＣＡＴＶ（Cable Television）放送信号と前記変調手段から出力される前記衛星放送信号とを混合して伝送路を介して送信する送信手段と、を有し、前記加入者宅内装置は、前記伝送路を介して伝送される信号を受信する受信手段と、前記受信手段によって受信した信号から前記衛星放送信号を抽出する抽出手段と、を有する、ことを特徴とする。
このような構成によれば、設備のコストを低減しつつ、伝送品質が改善され安定した衛星放送を視聴することが可能となる。
【０００７】
また、本発明は、前記変調手段は、前記変更手段によって前記ＮＩＴが変更されたＴＳまたはＴＬＶを、前記衛星放送信号の変調方式と同じ変調方式によって変調することを特徴とする。
このような構成によれば、伝送品質が改善され安定した衛星放送を視聴することが可能となる。
【０００８】
また、本発明は、前記ダウンコンバート手段は、前記衛星放送信号に含まれる複数の前記中間周波数の信号の少なくとも一部を、前記ＣＡＴＶ放送信号の空いている周波数帯にダウンコンバートし、前記加入者宅内装置は、前記抽出手段によって抽出した前記衛星放送信号をアップコンバートするアップコンバート手段を有する、ことを特徴とする。
このような構成によれば、衛星放送信号をＣＡＴＶ放送信号の周波数帯までダウンコンバートすることで、周波数帯域を制限することができる。
【０００９】
また、本発明は、前記変更手段は、前記ダウンコンバート手段によってダウンコンバートされた前記衛星放送信号の複数の前記中間周波数の信号の少なくとも一部を、前記アップコンバート手段によってアップコンバートした際に、そのままの並びで周波数軸上において高周波側にシフトした場合の周波数に変更することを特徴とする。
このような構成によれば、アップコンバータの数を減らすことができるので、加入者宅内装置の製造コストを低減することができる。
【００１０】
また、本発明は、前記変更手段は、前記ダウンコンバート手段によってダウンコンバートされた前記衛星放送信号の複数の前記中間周波数の信号の全てを、前記アップコンバート手段によってアップコンバートした際に、そのままの並びで周波数軸上において高周波側にシフトした場合の周波数に変更することを特徴とする。
このような構成によれば、アップコンバータの数を減らすことができるので、加入者宅内装置の製造コストを低減することができる。
【００１１】
また、本発明は、前記ダウンコンバート手段は、前記衛星放送信号の複数の前記中間周波数の信号のうち、周波数が高い１または複数の前記中間周波数の信号を、それよりも低い周波数に変換することを特徴とする。
このような構成によれば、衛星放送信号の帯域幅を圧縮することができる。
【００１２】
また、本発明は、前記ダウンコンバート手段は、前記衛星放送信号の複数の前記中間周波数の信号の全てを、それよりも低い周波数に変換することを特徴とする。
このような構成によれば、衛星放送信号の帯域幅を圧縮することができる。
【００１３】
また、本発明は、センタ装置と加入者宅内装置とを有する放送システムの制御方法において、前記センタ装置は、衛星放送信号に含まれる複数のアンテナから供給される中間周波数の信号の少なくとも一部を、異なる周波数にダウンコンバートするダウンコンバートステップと、前記ダウンコンバートステップにおいてダウンコンバートされた前記衛星放送信号に含まれるＮＩＴ（Network Information Table）に記述されたトランスポンダの信号の周波数を示す情報を、元の周波数とは異なる周波数に変更する変更ステップと、前記変更ステップによって前記ＮＩＴが変更されたＴＳ（Transport Stream）またはＴＬＶ（Type Length Value）を変調する変調ステップと、ＣＡＴＶ（Cable Television）放送信号と前記変調ステップから出力される前記衛星放送信号とを混合して伝送路を介して送信する送信ステップと、を有し、前記加入者宅内装置は、前記伝送路を介して伝送される信号を受信する受信ステップと、前記受信ステップにおいて受信した信号から前記衛星放送信号を抽出する抽出ステップと、を有する、ことを特徴とする。
このような方法によれば、設備のコストを低減しつつ、伝送品質が改善され安定した衛星放送を視聴することが可能となる。
【００１４】
また、本発明は、センタ装置と加入者宅内装置とを有する放送システムの前記加入者宅内装置において、前記センタ装置において、衛星放送信号に含まれる複数のアンテナから供給される中間周波数の信号の少なくとも一部が、異なる周波数にダウンコンバートされ、ダウンコンバートされた前記衛星放送信号に含まれるＮＩＴ（Network Information Table）に記述されたトランスポンダの信号の周波数を示す情報が、元の周波数とは異なる周波数に変更する変更され、前記ＮＩＴが変更されたＴＳ（Transport Stream）またはＴＬＶ（Type Length Value）を変調し、ＣＡＴＶ（Cable Television）放送信号と変調された前記衛星放送信号とが混合されて伝送路を介して送信された信号を受信する受信手段と、前記受信手段によって受信した信号から前記衛星放送信号を抽出する抽出手段と、を有する、ことを特徴とする。
このような構成によれば、設備のコストを低減しつつ、伝送品質が改善され安定した衛星放送を視聴することが可能となる。
【発明の効果】
【００１５】
本発明によれば、設備のコストを低減しつつ、伝送品質が改善され安定した衛星放送を視聴することが可能な放送システム、放送システムの制御方法、および、加入者宅内装置を提供することができる。
【図面の簡単な説明】
【００１６】
【図１】本発明の第１実施形態の放送システムの構成例を示す図である。
【図２】図１に示すセンタ装置の構成例を示す図である。
【図３】図１に示す加入者宅内装置の構成例を示す図である。
【図４】従来のセンタ装置の構成例を示す図である。
【図５】従来の加入者宅内装置の構成例を示す図である。
【図６】従来の放送システムの動作を説明するための図である。
【図７】本発明の第１実施形態の放送システムの動作を説明するための図である。
【図８】本発明の第２実施形態のセンタ装置の構成例を示す図である。
【図９】本発明の第２実施形態の加入者宅内装置の構成例を示す図である。
【図１０】本発明の第２実施形態の放送システムの動作を説明するための図である。
【発明を実施するための形態】
【００１７】
次に、本発明の実施形態について説明する。
【００１８】
（Ａ）本発明の第１実施形態の構成の説明
図１は、本発明の第１実施形態に係る放送システムの構成の一例を示す図である。図１に示すように、本発明の第1実施形態に係る放送システム１は、センタ装置１０、伝送路２０、加入者宅内装置３０−１〜３０−ｎ（ｎ＞１）を有している。
【００１９】
ここで、センタ装置１０は、例えば、ＢＳ（Broadcasting Satellite）放送、高度ＢＳ放送、ＣＳ（Communication Satellite）放送、および、高度広帯域ＣＳ放送等の衛星放送信号とＣＡＴＶ（Cable Television）放送信号を混合して、伝送信号として伝送路２０を介して伝送する。伝送路２０は、センタ装置１０から送信される伝送信号を、例えば、電気信号または光信号として伝送する。加入者宅内装置３０−１〜３０−ｎは、加入者の宅内に設置され、伝送信号を受信し、ＣＡＴＶ放送信号を分離してテレビジョン受像機等に供給して再生させるとともに、衛星放送信号をアップコンバートしてテレビジョン受像機等に供給して再生させる。
【００２０】
図２は、図１に示す、センタ装置１０の構成例を示す図である。図２の例では、センタ装置１０は、分配部１１、復調部１２−１〜１２−４、ＮＩＴ（Network Information Table）変更部１３−１〜１３−４、変調部１４−１〜１４−４、ダウンコンバータ１５−１〜１５−４、ＣＡＴＶ装置１６、衛星放送信号通過部１７、および、混合部１８を有している。
【００２１】
ここで、分配部１１は、例えば、図示しないアンテナから供給される中間周波数の衛星放送信号（例えば、ＢＳ−ＩＦ信号およびＣＳ−ＩＦ信号）を分配して出力する。復調部１２−１〜１２−４は、分配部１１から供給される中間周波数の衛星放送信号（以下、単に「衛星放送信号」と称する）に含まれる複数の中間周波数の信号のそれぞれを復調（ＴＣ８ＰＳＫ復調、ＱＰＳＫ復調、または、１６ＡＰＳＫ復調）してＴＳ（Transport Stream）またはＴＬＶ（Type Length Value）を生成して出力する。
【００２２】
ＮＩＴ変更部１３−１〜１３−４は、ＴＳに含まれているＮＩＴまたはＴＬＶに含まれるＴＬＶ−ＮＩＴを抽出し、それぞれのトランスポンダの中心周波数を示す情報を変更して出力する。なお、ＮＩＴは、伝送路に関する物理的な情報、すなわち衛星放送においては、衛星の軌道、偏波、トランスポンダ毎の周波数等を示す情報である。
【００２３】
変調部１４−１〜１４−４は、ＮＩＴ変更部１３−１〜１３−４から出力されるＴＳまたはＴＬＶを元の衛星放送信号に変調して出力する。
【００２４】
ダウンコンバータ１５−１〜１５−４は、変調部１４−１〜１４−４から出力される衛星放送信号を、後述するように、ＣＡＴＶの周波数帯までダウンコンバートして出力する。
【００２５】
ＣＡＴＶ装置１６は、ＣＡＴＶ放送信号を生成して出力する。衛星放送信号通過部１７は、図示しないアンテナから供給される中間周波数の衛星放送信号（例えば、ＢＳ−ＩＦ信号およびＣＳ−ＩＦ信号）のうち、復調部１２−１〜１２−４で復調する中間周波数の衛星放送信号を除く信号を通過させて出力する。
【００２６】
混合部１８は、ＣＡＴＶ装置１６から供給されるＣＡＴＶ放送信号と、衛星放送信号通過部１７から供給される衛星放送信号と、ダウンコンバータ１５−１〜１５−４から出力されるダウンコンバートされた衛星放送信号を混合して伝送信号として出力する。
【００２７】
図３は、図１に示す加入者宅内装置３０−１〜３０−ｎの構成例を示す図である。なお、加入者宅内装置３０−１〜３０−ｎは、同様の構成とされているので、以下では、これらを加入者宅内装置３０として説明する。
【００２８】
図３に示すように、加入者宅内装置３０は、分配部３１、ＢＰＦ（Band Pass Filter）３２、アップコンバータ３３、および、ＢＰＦ３４、衛星放送信号通過部３５、および、混合部３６を有している。ここで、分配部３１は、受信信号を分配（分離）してＢＰＦ３２に供給するとともに、ＣＡＴＶ放送信号として出力する。
【００２９】
ＢＰＦ３２は、後述するように、ＣＡＴＶ放送信号の周波数帯に収容されている衛星放送信号を通過させ、それ以外の帯域を減衰して出力する。
【００３０】
アップコンバータ３３は、ＢＰＦ３２から供給される衛星放送信号の周波数をアップコンバートして出力する。
【００３１】
ＢＰＦ３４は、アップコンバータ３３から出力されている信号に含まれる衛星放送信号以外の信号成分を減衰して出力する。
【００３２】
衛星放送信号通過部３５は、分配部３１から供給される衛星放送信号のうちアップコンバートが不要な衛星放送信号を通過させて出力する。
【００３３】
混合部３６は、ＢＰＦ３４から供給される衛星放送信号と、衛星放送信号通過部３５から供給される衛星放送信号とを混合し出力する。
【００３４】
（Ｂ）本発明の第１実施形態の動作の説明
つぎに、本発明の第１実施形態の動作について説明する。なお、以下では、図４および図５に示す従来技術の構成および動作について説明した後、本発明の第１実施形態の動作について説明する。
【００３５】
図４は、従来におけるセンタ装置１０の構成例を示す図である。なお、図４において、図２と対応する部分には同一の符号を付してあるのでその説明を省略する。図４に示す例では、センタ装置１０は、分配部１１、ダウンコンバータ１５−１〜１５−４、ＣＡＴＶ装置１６、および、混合部１８を有している。図４に示す従来におけるセンタ装置１０は、図２に示す第１実施形態と比較すると、復調部１２−１〜１２−４、ＮＩＴ変更部１３−１〜１３−４、および、変調部１４−１〜１４−４が除外されている。
【００３６】
図５は、従来における加入者宅内装置３０の構成を示す図である。なお、図５において、図３と対応する部分には同一の符号を付してあるのでその説明を省略する。図５に示す例では、加入者宅内装置３０は、ＢＰＦ３２−１〜３２−４、アップコンバータ３３−１〜３３−４、ＢＰＦ３４−１〜３４−４、および、３５を有している。すなわち、図５に示す従来における加入者宅内装置３０では、図３に示す第１実施形態と比較すると、ＢＰＦ３２−１〜３２−４、アップコンバータ３３−１〜３３−４、および、ＢＰＦ３４−１〜３４−４が中間周波数の数、または、ダウンコンバートした周波数配列の数に応じて増加されている。
【００３７】
なお、混合部３６は、ＢＰＦ３４−１〜３４−４から出力される衛星放送信号を混合して出力する。
【００３８】
図６は、図４および図５に示す従来例の動作を説明するための模式図である。図４において、分配部１１に入力された衛星放送信号（例えば、ＢＳ−ＩＦ信号およびＣＳ−ＩＦ信号）は、図６（Ａ）に示すように、ｆ１〜ｆ４の周波数（例えば、ＧＨｚ帯の周波数）を有する信号である。また、ＣＡＴＶ装置１６から出力されるＣＡＴＶ放送信号は、図６（Ａ）に示すように、７７０ＭＨｚ以下の周波数を有する信号である。なお、図６は、ＣＡＴＶ放送信号および衛星放送信号を模式的に示したものであり、これ以外の態様であってもよい。
【００３９】
図４において、分配部１１から出力される衛星放送信号は、ダウンコンバータ１５−１〜１５−４に供給される。ダウンコンバータ１５−１〜１５−４は、図６（Ａ）に示す、中心周波数がｆ１〜ｆ４の中間周波数に係る信号をそれぞれダウンコンバートし、図６（Ｂ）に示す、中心周波数がｆ１１〜ｆ１４の信号に変換する。混合部１８は、ダウンコンバータ１５−１〜１５−４から出力される中心周波数がｆ１１〜ｆ１４のダウンコンバートされた衛星放送信号と、ＣＡＴＶ装置１６から出力されるＣＡＴＶ放送信号を混合して出力する。この結果、図６（Ｂ）に示すように、ＣＡＴＶ放送信号の空いている周波数帯域に対して、中心周波数がｆ１１〜ｆ１４の衛星放送信号が配置された状態のＣＡＴＶ放送信号が伝送信号として出力される。
【００４０】
図６（Ｂ）に示す伝送信号は、伝送路２０を介して伝送され、加入者宅内装置３０−１〜３０−ｎに供給される。なお、加入者宅内装置３０−１〜３０−ｎの動作は同様であるので、以下では、これらを加入者宅内装置３０として説明する。
【００４１】
図５に示す、加入者宅内装置３０では、図６（Ｂ）に示す伝送信号を受信し、分配部３１に供給する。分配部３１は、伝送信号からＣＡＴＶ放送信号（図６（Ｃ）の７７０ＭＨｚ以下の信号）を分配して出力する。また、分配部３１は、ＣＡＴＶ放送信号を分配してＢＰＦ３２−１〜３２−４に供給する。
【００４２】
ＢＰＦ３２−１〜３２−４は、図６（Ｂ）に示すＣＡＴＶ放送信号に含まれる中心周波数がｆ１１〜ｆ１４の信号をそれぞれ通過させ、それ以外の帯域を減衰させてアップコンバータ３３−１〜３３−４に供給する。例えば、ＢＰＦ３２−１は、図６（Ｂ）に示す中心周波数がｆ１１の信号を通過させ、それ以外の周波数成分は減衰させてアップコンバータ３３−１に供給する。なお、ＢＰＦ３２−２〜３２−４は、図６（Ｂ）に示す中心周波数がｆ１２〜ｆ１４の信号をそれぞれ通過させ、それ以外の周波数成分は減衰させてアップコンバータ３３−２〜３３−４に供給する。
【００４３】
アップコンバータ３３−１〜３３−４は、図６（Ｂ）に示す中心周波数がｆ１１〜ｆ１４の信号をアップコンバートし、図６（Ｃ）に示す元の周波数であるｆ１〜ｆ４を有する衛星放送信号に変換する。例えば、アップコンバータ３３−１は、図６（Ｂ）に示す中心周波数がｆ１１の信号をアップコンバートし、図６（Ｃ）に示す中心周波数がｆ１の元の衛星放送信号に変換する。同様に、アップコンバータ３３−２〜３３−４は、図６（Ｂ）に示す中心周波数がｆ１２〜ｆ１４の信号をアップコンバートし、図６（Ｃ）に示す中心周波数がｆ２〜ｆ４の元の衛星放送信号に変換して出力する。
【００４４】
ＢＰＦ３４−１〜３４−４は、図６（Ｃ）に示す中心周波数がｆ１〜ｆ４の信号をそれぞれ通過させ、それ以外の周波数成分を減衰させて出力する。例えば、ＢＰＦ３４−１は、図６（Ｃ）に示す中心周波数がｆ１の信号を通過させ、それ以外の周波数成分を減衰させて出力する。同様に、ＢＰＦ３４−２〜３４−４は、図６（Ｃ）に示す中心周波数がｆ２〜ｆ４の信号をそれぞれ通過させ、それ以外の周波数成分を減衰させて出力する。
【００４５】
混合部３６は、ＢＰＦ３４−１〜３４−４から出力される信号を合成し、衛星放送信号として、例えば、図示しないテレビジョン受像機に対して出力する。
【００４６】
ところで、以上に示す従来技術では、加入者宅内装置３０が、複数のＢＰＦ３２−１〜３２−４およびＢＰＦ３４−１〜３４−４を必要とするとともに、複数のアップコンバータ３３−１〜３３−４を必要とする。アップコンバータ３３−１〜３３−４は、例えば、高い精度で安定したローカル信号を必要とすることから高価である。また、ＢＰＦ３２−１〜３２−４およびＢＰＦ３４−１〜３４−４についても、例えば、急峻な遮断特性を有するＳＡＷ（Surface Acoustic Wave）フィルタ等を用いる必要があることから高価である。このため、加入者宅内装置３０が高価になるという問題点がある。
【００４７】
一方、本発明の第１実施形態では、図３に示すように、ＢＰＦ３２およびＢＰＦ３４ならびにアップコンバータ３３の個数を従来技術に比較して減らすことができるので、加入者宅内装置３０の価格を低減することができる。以下、第１実施形態の動作について、図７を参照して説明する。
【００４８】
分配部１１は、衛星放送信号（例えば、ＢＳ−ＩＦ信号およびＣＳ−ＩＦ信号）を入力し、復調部１２−１〜１２−４に対して分配して出力する。復調部１２−１〜１２−４は、図７（Ａ）に示す、中心周波数がｆ１〜ｆ４のそれぞれの信号を選択して復調し、ＴＳとして出力する。例えば、復調部１２−１は、図７（Ａ）に示す中心周波数がｆ１の信号を選択して復調し、ＴＳまたはＴＬＶとして出力する。同様に、復調部１２−２〜１２−４は、図７（Ａ）に示す中心周波数がｆ２〜ｆ４の信号をそれぞれ選択して復調し、ＴＳまたはＴＬＶとして出力する。
【００４９】
ＮＩＴ変更部１３−１〜１３−４は、復調部１２−１〜１２−４から出力されるＴＳに含まれているＮＩＴの周波数に関する情報を変更する。より詳細には、復調部１２−１から出力されるＴＳまたはＴＬＶに含まれるＮＩＴには、図７（Ａ）に示す（１）と示された中間周波数に対応したトランスポンダの信号の中心周波数であるｆ１、図７（Ａ）に示す（２）と示された中間周波数に対応したトランスポンダの信号の中心周波数であるｆ２、図７（Ａ）に示す（３）と示された中間周波数に対応したトランスポンダの信号の中心周波数であるｆ３、図７（Ａ）に示す（４）と示された中間周波数に対応したトランスポンダの信号の中心周波数であるｆ４がすべて格納されている。ＮＩＴ変更部１３−１は、このような中心周波数ｆ１〜ｆ４を示す情報を、図７（Ｃ）に示す中心周波数ｆ１についてｆ２１に変更し、ｆ２についてはｆ２２に変更し、ｆ３についてはｆ２３に変更し、ｆ４についてはｆ２４にそれぞれ変更する。
【００５０】
また、復調部１２−２から出力されるＴＳまたはＴＬＶに含まれるＮＩＴにも、前述した中心周波数ｆ１〜ｆ４を示す情報がすべて格納されている。ＮＩＴ変更部１３−２は、ＮＩＴ変更部１３−１と同様に、中心周波数ｆ１に対してはｆ２１に変更し、ｆ２についてはｆ２２に変更し、ｆ３についてはｆ２３に変更し、ｆ４についてはｆ２４にそれぞれ変更する。
【００５１】
また、復調部１２−３から出力されるＴＳまたはＴＬＶに含まれるＮＩＴにも、前述した中心周波数ｆ１〜ｆ４を示す情報がすべて格納されている。ＮＩＴ変更部１３−３は、ＮＩＴ変更部１３−１と同様に、中心周波数ｆ１についてはｆ２１に変更し、ｆ２についてはｆ２２に変更し、ｆ３についてはｆ２３に変更し、ｆ４についてはｆ２４にそれぞれ変更する。
【００５２】
また、復調部１２−４から出力されるＴＳまたはＴＬＶに含まれるＮＩＴにも、前述した中心周波数ｆ１〜ｆ４を示す情報がすべて格納されている。ＮＩＴ変更部１３−４は、ＮＩＴ変更部１３−１と同様に、中心周波数ｆ１についてはｆ２１に変更し、ｆ２についてはｆ２２に変更し、ｆ３についてはｆ２３に変更し、ｆ４についてはｆ２４にそれぞれ変更する。
【００５３】
また、図７（Ａ）〜（Ｃ）に示す中心周波数がｆ０の信号は、衛星放送信号通過部１７を通過し、周波数変更を行わない衛星放送信号を示す。より詳細には、ＮＩＴを変更する放送とは別の衛星放送、例えば、高度ＢＳ放送のＮＩＴを変更する場合において、それ以外のＣＳ、高度ＢＳ、高度広帯域ＣＳ放送等の放送信号を意味する。
【００５４】
変調部１４−１〜１４−４は、ＮＩＴ変更部１３−１〜１３−４から出力されるＴＳまたはＴＬＶを変調し、元の衛星放送信号（例えば、ＢＳ−ＩＦ信号およびＣＳ−ＩＦ信号）を生成して出力する。例えば、変調部１４−１は、ＮＩＴ変更部１３−１から出力されるＴＳまたはＴＬＶを変調し、元の衛星放送信号を生成して出力する。同様に、変調部１４−２〜１４―４は、ＮＩＴ変更部１３−２〜１３−４から出力されるＴＳまたはＴＬＶを変調し、元の衛星放送信号を生成して出力する。
【００５５】
ダウンコンバータ１５−１〜１５−４は、変調部１４−１〜１４−４から供給される信号をダウンコンバートして出力する。例えば、ダウンコンバータ１５−１は、変調部１４−１から供給される、図７（Ａ）の中心周波数がｆ１の信号を図７（Ｂ）に示す中心周波数がｆ１１の信号にダウンコンバートして出力する。同様に、ダウンコンバータ１５−２〜１５−４は、変調部１４−２〜１４−４から供給される、図７（Ａ）の中心周波数がｆ２〜ｆ４の信号を図７（Ｂ）に示す中心周波数がｆ１２〜ｆ１４の信号にそれぞれダウンコンバートして出力する。
【００５６】
混合部１８は、ＣＡＴＶ装置１６から出力されるＣＡＴＶ放送信号と、ダウンコンバータ１５−１〜１５−４から出力される衛星放送信号と、衛星放送信号通過部１７から出力される衛星放送信号とを混合し、図７（Ｂ）に示すような、ＣＡＴＶ放送信号の空いている周波数帯に対して、ダウンコンバートされた衛星放送信号が挿入された信号を伝送信号として出力する。
【００５７】
混合部１８から出力された伝送信号は伝送路２０を伝送され、加入者宅内装置３０−１〜３０−ｎに対して供給される。なお、加入者宅内装置３０−１〜３０−ｎの動作は同様であるので、以下では、これらを加入者宅内装置３０として説明する。
【００５８】
加入者宅内装置３０の分配部３１は、受信した伝送信号を分配し、ＣＡＴＶ放送信号としてテレビジョン受像機に供給するとともに、ＢＰＦ３２に供給する。
【００５９】
ＢＰＦ３２は、分配部３１から供給される信号から、図７（Ｂ）に示す、中心周波数がｆ１１〜ｆ１４の信号の全てを通過させ、それ以外の周波数成分を減衰させて出力する。この結果、中心周波数がｆ１１〜ｆ１４の信号がＢＰＦ３２から出力される。
【００６０】
アップコンバータ３３は、ＢＰＦ３２から出力される信号を、図７（Ｃ）に示す、中心周波数がｆ２１〜ｆ２４の信号にアップコンバートして出力する。なお、図７（Ｃ）に示す、中心周波数がｆ２１〜ｆ２４の信号は、図７（Ｂ）に示す、中心周波数がｆ１１〜ｆ１４の信号を周波数軸上においてシフトしたものである。このため、単一の周波数の局発信号によって、中心周波数ｆ１１〜ｆ１４の信号を一括してアップコンバートすることができる。
【００６１】
アップコンバータ３３から出力された信号は、ＢＰＦ３４に供給される。ＢＰＦ３４は、アップコンバータ３３から出力される信号のうち、中心周波数がｆ２１〜ｆ２４の信号を通過させ、それ以外の周波数成分を減衰して出力する。ＢＰＦ３４から出力された信号は、衛星放送信号として、図示しないテレビジョン受像機に供給される。
【００６２】
なお、図７（Ｃ）に示す衛星放送信号は、図７（Ａ）に示す元の衛星放送信号とは、それぞれの中間周波数の中心周波数が異なっている。しかしながら、センタ装置１０において、ＮＩＴに格納されているそれぞれのトランスポンダの中心周波数を示す情報（図７の例では、ｆ１〜ｆ４）が、ＮＩＴ変更部１３−１〜１３−４によって、ｆ２１〜ｆ２４に変更されていることから、テレビジョン受像機では、中心周波数が変更された衛星放送信号を不具合なく再生することができる。
【００６３】
以上に説明したように、本発明の第１実施形態によれば、衛星放送信号をＣＡＴＶ放送信号の周波数帯域にダウンコンバートして送信するようにしたので、従来技術と同様に、限られた周波数帯域を用いて衛星放送信号を伝送することができる。
【００６４】
また、センタ装置１０において、ＮＩＴに格納されている中心周波数に関する情報ｆ１〜ｆ４を、ｆ１〜ｆ４を周波数軸上においてシフトされた中心周波数であるｆ２１〜ｆ２４に変更するようにしたので、図３に示すように、加入者宅内装置３０の構成を簡易化することができる。図３および図５の比較から、ＢＰＦおよびアップコンバータの数を大幅に減らすことができる。
【００６５】
また、図５に示す従来例では、図６（Ｂ）に示す中心周波数がｆ１１〜ｆ１４の信号成分のそれぞれをＢＰＦ３２−１〜３２−４が抽出する必要があるが、これらの信号成分は帯域幅が約３４．５ＭＨｚ程度と狭く、また、隣接する信号成分とも近接して配置されていることから、ＢＰＦ３２−１〜３２−４の周波数特性が急峻である必要がある。
【００６６】
また、図５に示す従来例では、図６（Ｃ）に示す中心周波数がｆ１〜ｆ４の信号成分のそれぞれを図５に示すＢＰＦ３４−１〜３４−４が通過させ、アップコンバートの際に生じる不要な周波数成分を減衰する必要があるが、これらの信号成分は前述したように、帯域幅が約３４．５ＭＨｚ程度と狭く、また、隣接する信号成分とも近接して配置されていることから、ＢＰＦ３４−１〜３４−４の周波数特性が急峻である必要がある。
【００６７】
なお、このような急峻な特性を有するＢＰＦとしては、ＳＡＷフィルタがあるが、ＳＡＷフィルタは高価である。このため、多数のＳＡＷフィルタを使用する必要がある従来技術に係る加入者宅内装置３０は非常に高価となる。
【００６８】
一方、本発明の第１実施形態では、図３に示すＢＰＦ３２は、図７（Ｂ）に示す、中心周波波数がｆ１１〜ｆ１４の信号を一括して通過する特性を有すればよく、通過帯域幅が広いことから、ＢＰＦ３２の特性として、従来技術ほど急峻な特性は要求されない。
【００６９】
また、本発明の第１実施形態では、図３に示すＢＰＦ３４は、図７（Ｃ）に示す、中心周波波数がｆ２１〜ｆ２４の信号を一括して通過する特性を有すればよく、通過帯域幅が広いことから、ＢＰＦ３４の特性として、従来技術ほど急峻な特性は要求されない。
【００７０】
以上に説明したように、本発明の第１実施形態によれば、加入者宅内装置３０の製造コストを大幅に低減することができる。
【００７１】
（Ｃ）本発明の第２実施形態の構成の説明
つぎに、本発明の第２実施形態の動作について説明する。図８は、本発明の第２実施形態に係るセンタ装置１０の構成例を示す図である。なお、図８において、図２と対応する部分には同一の符号を付してその説明を省略する。図８では、図２と比較すると、ダウンコンバータ１５−１〜１５−４が周波数変換部１９−１〜１９−４に置換されている。これ以外の構成は、図２と同様である。
【００７２】
図９は、本発明の第２実施形態に係る加入者宅内装置３０の構成例を示す図である。なお、図９において、図３と対応する部分には同一の符号を付してその説明を省略する。図９では、図３と比較すると、ＢＰＦ３２、アップコンバータ３３、および、ＢＰＦ３４が除外されている。これ以外の構成は、図３と同様である。
【００７３】
（Ｄ）本発明の第２実施形態の動作の説明
つぎに、図１０を参照して、本発明の第２実施形態の動作について説明する。図８に示すＣＡＴＶ装置１６からは、図１０（Ａ）に示す、７７０ＭＨｚ以下のＣＡＴＶ放送信号が出力され、混合部１８に供給される。
【００７４】
分配部１１は、衛星放送信号を入力し、復調部１２−１〜１２−４に供給する。復調部１２−１〜１２−４は、図１０に示す中心周波数がｆ１〜ｆ４の中間周波数の信号をそれぞれ復調し、ＴＳまたはＴＬＶとしてＮＩＴ変更部１３−１〜１３−４に供給する。
【００７５】
衛星放送信号通過部１７は、図１０（Ａ）に示す衛星放送信号の中心周波数ｆ０の信号を通過して出力し、混合部１８に供給する。
【００７６】
ＮＩＴ変更部１３−１〜１３−４は、図１０（Ａ）に示す衛星放送信号の中心周波数ｆ２〜ｆ４を示す情報を、図１０（Ｂ）に示すｆ３２〜ｆ３４にそれぞれ変更する。より詳細には、ＮＩＴ変更部１３−１〜１３−４は、ＮＩＴに含まれている周波数ｆ２を示す情報をｆ３２に変更し、周波数ｆ３を示す情報をｆ３３に変更し、周波数ｆ４を示す情報をｆ３４に変更する。
【００７７】
変調部１４−１〜１４−４は、ＮＩＴ変更部１３−１〜１３−４から出力されるＴＳまたはＴＬＶを衛星放送信号と同じ変調方式で変調して出力する。
【００７８】
周波数変換部１９−１〜１９−４は、変調部１４−１〜１４−４から出力される中心周波数がｆ１〜ｆ４の信号（図１０（Ａ）参照）を、図１０（Ｂ）に示す中心周波数がｆ１，ｆ３２〜ｆ３４の信号にそれぞれ周波数変換して出力する。より詳細には、周波数変換部１９−１は、変調部１４−１から出力される中心周波数がｆ１の信号を、中心周波数がｆ１の信号に周波数変換して出力する。また、周波数変換部１９−２は、変調部１４−２から出力される中心周波数がｆ２の信号を、中心周波数がｆ３２の信号に周波数変換して出力する。また、周波数変換部１９−３は、変調部１４−３から出力される中心周波数がｆ３の信号を、中心周波数がｆ３３の信号に周波数変換して出力する。さらに、周波数変換部１９−４は、変調部１４−４から出力される中心周波数がｆ４の信号を、中心周波数がｆ３４の信号に周波数変換して出力する。
【００７９】
周波数変換部１９−１〜１９−４から出力される中心周波数がｆ１，ｆ３２〜ｆ３４の衛星放送信号と、衛星放送信号通過部１７から出力される衛星信号放送と、ＣＡＴＶ装置１６から出力されるＣＡＴＶ放送信号は、混合部１８によって混合され、図１０（Ｂ）に示す伝送信号として出力される。
【００８０】
センタ装置１０から出力された伝送信号は、伝送路２０を介して加入者宅内装置３０−１〜３０−ｎに供給される。なお、加入者宅内装置３０−１〜３０−ｎの動作は同様であるので、以下ではこれらを加入者宅内装置３０として説明する。
【００８１】
加入者宅内装置３０は、伝送路２０を介して伝送された伝送信号を受信する。分配部３１は、伝送信号からＣＡＴＶ放送信号を抽出してテレビジョン受像機に供給する。また、分配部３１は、伝送信号から衛星放送信号を抽出してテレビジョン受像機に供給する。
【００８２】
なお、図１０（Ｂ）に示す衛星放送信号は、図１０（Ａ）に示す元の衛星放送信号とは、ｆ１以外は中心周波数が異なっている。しかしながら、センタ装置１０において、ＮＩＴに格納されているそれぞれのトランスポンダの周波数を示す情報（図１０の例では、ｆ２〜ｆ４）が、ＮＩＴ変更部１３−１〜１３−４によって、ｆ１，ｆ３２〜ｆ３４に変更されていることから、テレビジョン受像機では、周波数が変更された衛星放送信号を不具合なく再生することができる。なお、周波数がｆ１の衛星放送信号については、周波数は変更されていないので、不具合なく視聴することができる。
【００８３】
以上に説明したように、本発明の第２実施形態によれば、高い周波数帯域に存在する衛星放送信号の周波数を周波数変換して送信することができることから、周波数帯域を制限することができる。
【００８４】
また、本発明の第２実施形態では、加入者宅内装置３０がＢＰＦおよびアップコンバータを有する必要がなくなるので、加入者宅内装置３０の製造コストを低減することができる。
【００８５】
（Ｅ）変形実施形態の説明
以上の実施形態は一例であって、本発明が上述したような場合のみに限定されるものでないことはいうまでもない。例えば、第１実施形態では、衛星放送信号の全ての中間周波数の信号をダウンコンバートするようにしたが、少なくとも一部の中間周波数の信号をダウンコンバートするようにしてもよい。また、第２実施形態では、周波数がｆ１の信号以外を周波数変換するようにしたが、全ての周波数を周波数変換するようにしたり、あるいは、一部の周波数の信号を周波数変換するようにしたりしてもよい。
【００８６】
また、第１実施形態および第２実施形態では、衛星放送信号の全ての中間周波数の信号をＮＩＴ変更するようにしたが、ＢＳ、ＣＳ、高度ＢＳ、高度広帯域ＣＳの単位などで一部の衛星放送信号のＮＩＴを変更するようにしてもよい。
【００８７】
また、第１実施形態では、ダウンコンバートした衛星放送信号の全ての中間周波数の信号をアップコンバートするようにしたが、一部の信号をアップコンバートするようにしてもよい。
【００８８】
また、第１実施形態および第２実施形態では、ダウンコンバータ１５−１〜１５−４を最終段に配置するようにしたが、例えば、復調部１２−１〜１２−４の前段に配置するようにしてもよい。
【００８９】
また、図７および図１０に示すＣＡＴＶ放送信号および衛星放送信号は一例であって、本発明がこれらの図に示す場合に限定されるものではないことは言うまでも無い。例えば、衛星放送信号のトランスポンダ数が異なっていたり、配置状態が異なっていたりしてもよい。また、ＣＡＴＶ放送信号のトランスポンダ数が異なっていたり、配置状態が異なっていたりしてもよい。
【００９０】
また、第１実施形態では、加入者宅内装置３０は、１つのアップコンバータ３３を有するようにしたが、２以上のアップコンバータを有するようにしてもよい。
【符号の説明】
【００９１】
１  放送システム
１０  センタ装置
１１  分配部
１２−１〜１２−４  復調部
１３−１〜１３−４  ＮＩＴ変更部
１４−１〜１４−４  変調部
１５−１〜１５−４  ダウンコンバータ
１６  ＣＡＴＶ装置
１７  衛星放送信号通過部
１８  混合部
１９−１〜１９−４  周波数変換部
２０  伝送路
３０  加入者宅内装置
３０−１〜３０−ｎ  加入者宅内装置
３１  分配部
３２，３２−１〜３２−４  ＢＰＦ
３３，３３−１〜３３−４  アップコンバータ
３４，３４−１〜３４−４  ＢＰＦ
３５  衛星放送信号通過部
３６  混合部
【図１】
2019195147.tif 000003
【図２】
2019195147.tif 000004
【図３】
2019195147.tif 000005
【図４】
2019195147.tif 000006
【図５】
2019195147.tif 000007
【図６】
2019195147.tif 000008
【図７】
2019195147.tif 000009
【図８】
2019195147.tif 000010
【図９】
2019195147.tif 000011
【図１０】
2019195147.tif 000012